(57)【要約】【課題】モールス符号を含む多様な操作入力を電気信号に変換し、符号音、文字表示、文字表示に対応する音声出力で再生し、話者の意思伝達を支援する。【解決手段】断続入力を行う操作入力部（４）と、断続入力を符号に変換し、該符号を入力文字に変換する機能、符号を発音文字に変換する機能、符号を発音文字に変換しかつ該発音文字を発音データに変換する機能、符号を符号音信号に変換する機能を備え、少なくとも２以上の機能を実行する処理部（６）と、符号音を出力する符号音出力部（１０）と、入力文字を表示しまたは前記発音文字を表示する表示部（８）と、前記発音文字を発音する発音出力部（１２）とを備える。【選択図】図１
2018067226.tif 000002
【特許請求の範囲】
【請求項１】
断続入力を行う操作入力部と、
前記断続入力を符号に変換し、該符号を入力文字に変換する機能、前記符号を発音文字に変換する機能、前記符号を発音文字に変換しかつ該発音文字を発音データに変換する機能、前記符号を符号音信号に変換する機能を備え、少なくとも２以上の機能を実行する処理部と、
前記符号音を出力する符号音出力部と、
前記入力文字を表示しまたは前記発音文字を表示する表示部と、
前記発音文字を発音する発音出力部と、
を備えることを特徴とする会話支援装置。
【請求項２】
前記表示部は、表示画面に前記入力文字の表示領域、前記発音文字の表示領域または動作モード表示領域の何れかまたは２以上を備え、前記入力文字の入力段階と入力完了段階で発光色を異ならせ、前記発音文字の発音段階と発音完了段階で発光色を異ならせて表示することを特徴とする請求項１に記載の会話支援装置。
【請求項３】
さらに、単一または複数の表示素子と、
入力モードの表示、入力モードの切換え表示、断続入力、符号入力、文字入力の何れかまたは２以上の機能を前記表示素子に割り当て、前記操作入力部の操作に応じて前記表示素子を連続点灯状態、間欠点灯状態、または消灯状態に切り換える制御手段と、
を備えることを特徴とする請求項１に記載の会話支援装置。
【請求項４】
コンピュータに実行させる会話支援プログラムであって、
操作入力部からの断続入力を受け付け、
前記断続入力を符号に変換し、該符号を入力文字に変換する機能、前記符号を発音文字に変換する機能、前記符号を発音文字に変換しかつ該発音文字を発音データに変換する機能、前記符号を符号音信号に変換する機能の少なくとも２以上の機能を実行し、
前記符号音を符号音出力部から出力し、
表示部に前記入力文字を表示しまたは前記発音文字を表示し、
発音出力部から前記発音文字を発音する
機能を前記コンピュータで実現するための会話支援プログラム。
【請求項５】
請求項１ないし請求項３の何れかの請求項に記載の会話支援装置に用いる電鍵であって、
単一または複数のレバーと、
操作によりＸ軸方向、Ｙ軸方向、Ｚ軸方向またはこれらの何れか２以上を組み合わせた方向に移動可能に前記レバーを支持し、前記操作が解除された際に元位置に前記レバーを復元させる可動機構と、
所定範囲を超えて前記Ｘ軸方向、Ｙ軸方向、Ｚ軸方向またはこれらの何れか２以上を組み合わせた方向に前記レバーが移動した際に導通または非導通に切り換えられる接点と、  を備える電鍵。
【発明の詳細な説明】
【技術分野】
【０００１】
本発明は、モールス信号などの断続信号を媒介とする会話者間の情報授受に用いられる会話支援技術および電鍵に関する。
【背景技術】
【０００２】
会話者間の意思伝達手段には音声、記号、手旗、手話、モールス符号などが用いられる。モールス符号による通信の入力手段として、縦振り電鍵の他パドルが使用され、一定の時間幅で短点や長点を生成するキーヤーが用いられている。
【０００３】
モールス符号を用いた会話補助に関し、入力されるモールス符号に対応する文字、単語、文章の何れかの音声ファイルを読み取り、その音声ファイルを音声データまたは文字データに変換し、音声出力とともに文字データを表示することが知られている（特許文献１）。
また、モールス通信に関し、受信端末側で受信したモールス信号が表す符号情報を表示することが知られている（特許文献２）。
【先行技術文献】
【特許文献】
【０００４】
【特許文献１】特開２０１０−１６４９２１号公報
【特許文献２】特開２０１１−４１９２号公報
【発明の概要】
【発明が解決しようとする課題】
【０００５】
ところで、モールス符号はアルファベット、数字、通話に必要な記号、仮名文字、句読点などに異なる短点、長点またはこれらの２以上の組み合わせ符号が割り当てられている。このモールス符号を一定の法則に従って組み合わせることにより、自己の意思を伝達することができる。モールス符号通信の冗長性を回避するため、伝達事項を単純化したＱ符号、略符号なども併用される。
【０００６】
画一化され且つ規格化されたモールス符号は通常の会話言語に代えて用いることができる極めて有効な意思伝達手段であり、そのスキルを体得すればよい。
モールス符号による通話では、アルファベット、数字、通話に必要な記号、仮名文字、句読点などを単位としてモールス符号を送受し、Ｑ符号、略符号などにおいても同様である。
しかしながら、日本語では子音が組み合わされ、文字の後ろに子音が付加されてもその子音が通常の文字で送出されると、伝達意思が言葉として認識されない場合がある。
【０００７】
そこで、本発明の目的は上記課題に鑑み、モールス符号を含む多様な操作入力を電気信号に変換し、符号音、文字表示、文字表示に対応する音声出力で再生し、話者の意思伝達を支援することにある。
【課題を解決するための手段】
【０００８】
上記目的を達成するため、本発明の会話支援装置の一側面によれば、断続入力を行う操作入力部と、前記断続入力を符号に変換し、該符号を入力文字に変換する機能、前記符号を発音文字に変換する機能、前記符号を発音文字に変換しかつ該発音文字を発音データに変換する機能、前記符号を符号音信号に変換する機能を備え、少なくとも２以上の機能を実行する処理部と、前記符号音を出力する符号音出力部と、前記入力文字を表示しまたは前記発音文字を表示する表示部と、前記発音文字を発音する発音出力部とを備える。
【０００９】
上記会話支援装置において、前記表示部は、表示画面に前記入力文字の表示領域、前記発音文字の表示領域または動作モード表示領域の何れかまたは２以上を備え、前記入力文字の入力段階と入力完了段階で発光色を異ならせ、前記発音文字の発音段階と発音完了段階で発光色を異ならせて表示してよい。
【００１０】
上記会話支援装置において、さらに、単一または複数の表示素子と、入力モードの表示、入力モードの切換え表示、断続入力、符号入力、文字入力の何れかまたは２以上の機能を前記表示素子に割り当て、前記操作入力部の操作に応じて前記表示素子を連続点灯状態、間欠点灯状態、または消灯状態に切り換える制御手段とを備えてよい。
【００１１】
上記目的を達成するため、本発明の会話支援プログラムの一側面によれば、コンピュータに実行させる会話支援プログラムであって、操作入力部からの断続入力を受け付け、前記断続入力を符号に変換し、該符号を入力文字に変換する機能、前記符号を発音文字に変換する機能、前記符号を発音文字に変換しかつ該発音文字を発音データに変換する機能、前記符号を符号音信号に変換する機能の少なくとも２以上の機能を実行し、前記符号音を符号音出力部から出力し、表示部に前記入力文字を表示しまたは前記発音文字を表示し、発音出力部から前記発音文字を発音する機能を前記コンピュータで実現する。
【００１２】
上記目的を達成するため、本発明の電鍵の一側面によれば、上記会話支援装置に用いる電鍵であって、単一または複数のレバーと、操作によりＸ軸方向、Ｙ軸方向、Ｚ軸方向またはこれらの何れか２以上を組み合わせた方向に移動可能に前記レバーを支持し、前記操作が解除された際に元位置に前記レバーを復元させる可動機構と、所定範囲を超えて前記Ｘ軸方向、Ｙ軸方向、Ｚ軸方向またはこれらの何れか２以上を組み合わせた方向に前記レバーが移動した際に導通または非導通に切り換えられる接点とを備える。
【発明の効果】
【００１３】
本発明によれば、次の何れかの効果が得られる。
(1) 操作入力部の操作により多様な操作入力を受け付け、この操作入力を符号に変換し、符号から入力文字、符号から発音文字、発音文字から発音データ、符号から符号音信号に変換し、入力文字、発音文字の表示、発音文字の発音、符号音の発音を出力させることができる。
【００１４】
(2) 入力者にモールス符号のスキルがあれば、モールス符号を媒介として入力文字、発音文字、符号音を出力でき、モールス符号のスキルを媒介として入力者の意思を他者に伝達することができるが、必ずしも、モールス符号のスキルがなくても、一定の法則的な断続入力と出力との関係を認識すれば、会話の支援に利用できる。
【００１５】
(3) 会話に障害を持つ人では、断続入力という単純入力を媒介として会話の支援や他者との意思の疎通を図ることに利用できる。
【図面の簡単な説明】
【００１６】
【図１】一実施の形態に係る会話支援装置を示す図である。
【図２】処理部の処理手順を示すフローチャートである。
【図３】実施例１に係るＣＷメッセンジャーを示す図である。
【図４】コントローラー部の機能を示す図である。
【図５】ＡはＣＷメッセンジャーの外観形態を示す図、Ｂは各ＶＲの機能を示す図、Ｃは第１の符号入力部の符号入力を示す図、Ｄは第２の符号入力部の符号入力を表す図である。
【図６】Ａは表示部の画面表示を示す図、Ｂはモード切換えパターンを示す図である。
【図７】モード切換え表示を示す図である。
【図８】ＡはＮモードのモールス符号認識を示す図、ＢはＥｘモードのモールス符号組み合わせの認識を表す図である。
【図９】Ａは１符号入力の動作を示す図、Ｂは２符号入力の動作を示す図である。
【図１０】Ａは３符号入力の動作を示す図、Ｂは４符号入力の動作を示す図である。
【図１１】ＡはＮモードの動作を示す図、ＢはＥｘモードの動作を示す図、ＣはＬＥＤ１、ＬＥＤ２の点灯・消灯を示す図である。
【図１２】検索テーブルを示す図である。
【図１３】４符号入力の文字表示および発音の処理手順を示すフローチャートである。
【図１４】符号−入力文字変換の処理手順を示すフローチャートである。
【図１５】Ｓ１の処理手順を示すフローチャートである。
【図１６】Ｓ２の処理手順を示すフローチャートである。
【図１７】Ｓ３の処理手順を示すフローチャートである。
【図１８】入力文字の表示制御の処理手順を示すフローチャートである。
【図１９】発音文字の表示制御の処理手順を示すフローチャートである。
【図２０】Ａは実施例２に係る符号入力に用いるキーおよびその操作を示す図、Ｂは他のキーおよびその操作を示す図である。
【図２１】実施例３に係る出力部の外観形態を示す図である。
【発明を実施するための形態】
【００１７】
図１は一実施の形態に係る会話支援装置を示している。この会話支援装置２は、操作入力部４、処理部６、表示部８、符号音出力部１０および発音出力部１２が備えられる。
操作入力部４は断続入力を行う入力手段であり、電鍵たとえば、縦振りキーなどで構成すればよい。
【００１８】
処理部６はたとえば、コンピュータで構成し、断続入力／符号変換機能１４−１を前提機能とし、複数の機能として符号／入力文字変換機能１４−２、符号／発音文字変換機能１４−３、発音文字／発音データ変換機能１４−４、符号／符号音信号変換機能１４−５から少なくとも２以上の機能を実行する。発音文字／発音データ変換機能１４−４は、発音文字を発音データに変換する機能である。符号／符号音信号変換機能１４−５は、符号を符号音信号に変換する機能である。
【００１９】
表示部８は、処理部６から入力文字または発音文字の提供を受け、入力文字を表示しまたは発音文字を表示する。符号音出力部１０は、処理部６から符号音の提供を受け、符号音を音声として出力する。そして、発音出力部１２は、処理部６から発音文字の提供を受け、発音文字を音声として発音する。
【００２０】
なお、処理部６は複数の機能として断続入力／符号変換機能１４−１、符号／入力文字変換機能１４−２、符号／発音文字変換機能１４−３、発音文字／発音データ変換機能１４−４、符号／符号音信号変換機能１４−５を実現する。断続入力／符号変換機能１４−１は、操作入力部４から加えられる断続入力を符号に変換する機能の全てを実行してもよい。
【００２１】
図２は、処理部６で実行される処理手順を示している。この処理手順は会話支援プログラムで実現される処理を示している。各処理単位を示すステップは「Ｓ」と表記する。
この処理手順では、処理部６を起動した後、操作入力部４に断続入力を加えると、この断続入力が処理部６に受け付けられる（Ｓ１０１）。
【００２２】
処理部６では、断続入力／符号変換機能１４−１を前提機能として備えた上で、複数の機能として符号／入力文字変換機能１４−２、符号／発音文字変換機能１４−３、発音文字／発音データ変換機能１４−４、符号／符号音信号変換機能１４−５を実行する（Ｓ１０２）。
【００２３】
符号音出力部１０は、処理部６から符号音の提供を受け、符号音を出力する（Ｓ１０３）。表示部８は、処理部６から入力文字または発音文字の提供を受け、入力文字または発音データとして発音文字を表示する（Ｓ１０４）。また、発音出力部１２は、処理部６から発音文字の提供を受け、発音文字を発音する（Ｓ１０５）。
【００２４】
なお、このＳ１０２では、断続入力を符号に変換した後、複数の機能として符号／入力文字変換機能１４−２、符号／発音文字変換機能１４−３、発音文字／発音データ変換機能１４−４、符号／符号音信号変換機能１４−５から少なくとも２以上の機能を実行してもよい。
【００２５】
＜一実施の形態の効果＞
(1) 操作入力部４から入力された断続入力は符号たとえば、モールス符号に変換され、このモールス符号を媒介として入力文字、発音文字、符号音信号に変換され、入力文字および発音文字として表示されるとともに、符号音信号を音声として発音することができる。
【００２６】
(2) 操作入力部４から入力された符号などの入力者の意思が入力文字および発音文字として表示され、符号音として発音され、入力者から他者に表示された入力文字および発音文字または発音された符号音で意思を伝達することが可能である。
【００２７】
(3) 断続音を一例としてモールス符号に変換しているが、モールス符号に代わる符号や入力文字を設定すれば、同様に入力者から他者に意思を伝達でき、会話支援装置として用いることができる。
【実施例１】
【００２８】
図３は、実施例１に係るＣＷメッセンジャー（Continuous Wave messenger ：ＣＷｍ）を示している。このＣＷメッセンジャー（以下「ＣＷｍ」と称する）２０は会話支援装置２（図１）の一例である。
このＣＷｍ２０には操作入力部４の一例として第１の符号入力部２２−１、第２の符号入力部２２−２、処理部６の一例としてコントローラー部２４、発音データ部２６、音声再生部２８の他、表示部８、符号音出力部１０、発音出力部１２、スイッチ入力部３０、入力タイミング表示部３２、ボリューム入力部３４が備えられる。
符号入力部２２−１はＸ方向１の入力に用いられる。符号入力部２２−２はＸ方向１、Ｘ方向２、Ｙ方向１、Ｙ方向２の各入力に用いられる。Ｘ、Ｙは座標軸である。Ｚ軸方向の入力を含ませてもよい。
【００２９】
コントローラー部２４には、プロセッサ３６、メモリ部３８、入出力部（Ｉ／Ｏ）４０が備えられる。プロセッサ３６は、メモリ部３８にあるたとえば、ＯＳ（Operating System）や会話支援プログラムを実行し、各種機能部の動作を制御する。メモリ部３８にはＲＯＭ（Read-Only Memory）、ＲＡＭ（Random-Access Memory）などの記録媒体を備え、プログラム記憶部３８−１、データ記憶部３８−２が構成される。プログラム記憶部３８−１にはＯＳや会話支援プログラムなどのプログラムが格納され、データ記憶部３８−２には各種データを含むデータベース（ＤＢ）が格納される。このメモリ部３８にはハードディスク装置や半導体記憶装置を用いればよい。ＲＡＭは情報処理のワークエリアを構成する。
【００３０】
発音データ部２６では記憶媒体としてＳＤ（Secure Digital）カードなどのメモリカードが用いられ、発音文字を発音データに変換するためのＤＢが構築されており、提供される音声文字が発音データに変換される。音声再生部２８ではたとえば、音声ＬＳＩ（Large Scale Integration ）が用いられ、提供される音声データが発音信号に変換される。
【００３１】
符号音出力部１０ではモールス信号をアンプ４２−１で増幅し、スピーカ４４−１から再生する。発音出力部１２では発音再生部２８で再生された発音信号をアンプ４２−２で増幅し、スピーカ４４−２から発音する。
スイッチ入力部３０には第１のスイッチとしてＳＷ１および第２のスイッチとしてＳＷ２が備えられる。
入力タイミング表示部３２には、第１の表示素子としてＬＥＤ（Light Emitting Diode）１、第２の表示素子としてＬＥＤ２およびドライバ４６が備えられ、入力タイミングの表示を選択的に行う。
ボリューム入力部３４には短点時間調整用の第１のボリュームＶＲ１、次文字待ち時間設定用の第２のボリュームＶＲ２が備えられる。なお、アンプ４２−１の増幅利得はボリュームＶＲ３で調整可能である。アンプ４２−２の増幅利得はボリュームＶＲ４で調整可能である。
【００３２】
図４は、コントローラー部２４の情報処理により実現される各種機能を示している。このコントローラー部２４では、長短点−符号変換４８−１、符号−入力文字変換４８−２、入力文字表示制御４８−３、スイッチ信号判別４８−４、符号−発音文字変換４８−５、発音文字表示制御４８−６、ボリューム信号判別４８−７、発音文字−発音データ選択制御４８−８、動作モード表示制御４８−９が実行される。
長短点−符号変換４８−１では、符号入力部２２−２から入力される長点および短点を符号たとえば、モールス符号に変換する。このモールス符号は符号音出力部１０から符号音として再生される。
符号−入力文字変換４８−２では、符号を入力文字に変換する。この入力文字により、入力タイミング表示部３２のＬＥＤ１を点灯させる。入力文字表示制御４８−３は、表示部８の入力文字表示部５０−１にどのように入力文字を表示するかの表示制御を行う。
【００３３】
スイッチ信号判別４８−４では、符号入力部２２−２のＹ方向１、Ｙ方向２を表すスイッチング信号の判別、スイッチ入力部３０のＳＷ１、ＳＷ２からのスイッチ信号判別を行う。符号−発音文字変換４８−５は、長短点−符号変換４８−１で得られる符号を発音文字に変換する。この発音文字により、入力タイミング表示部３２のＬＥＤ２を点灯させる。これにより、発音文字の入力タイミングがＬＥＤ２に表示される。発音文字表示制御４８−６では、表示部８の発音文字表示部５０−２に発音文字をどのように表示するかの表示制御を行う。
ボリューム信号判別４８−７では、ボリューム入力部３４のボリューム入力１、ボリューム入力２からのボリューム信号の判別を行う。この判別結果が動作モード表示制御４８−９に提供され、動作モード表示部５０−３に表示される。
発音文字−発音データ選択制御４８−８では、符号−発音文字変換４８−５で得られる発音文字により発音データ部２６の発音データをサーチし、発音文字に該当する発音データの選択制御を行う。発音再生部２８は、発音文字に該当する発音データを受け、この発音データの発音信号を生成して発音出力部１２に提供する。発音出力部１２は発音信号に対応する発音を出力する。
【００３４】
このＣＷｍ２０の動作モードにはノーマルモード（Ｎモード）と拡張モード（Ｅｘモード）が含まれる。Ｎモードは符号組み合わせの入力不可のモードであり、Ｅｘモードは符号組み合わせの入力可能のモードである。これらのモードはＳＷ１で切換え可能である。
Ｎモードであっても濁点は、連続入力をしかつその入力符号と重なる符号がなければ、認識することができる。「か」：「・−・・」と「゛」：「・・」を「・−・・・・」と連続入力した場合では、重なる符号がないため「が」と認識できる。しかし、「へ」：「・」に濁点「゛」：「・・」を「・・・」と連続入力した場合では、「ら」：「・・・」と重なるため、「べ」とは認識せず、「ら」と認識することになる。実施例では半濁点「゜」：「・・−−・」は、連続入力の処理を簡略化し、係る処理を省略している。
【００３５】
＜ＣＷｍ２０の各部＞
このＣＷｍ２０では図５のＡに示すように、筐体５２には図３に示すコントローラー２４などの機能部のＩＣ（Integrated Circuit：集積回路）などを実装した回路基板が格納されている。この筐体５２の前面パネル部５４には上方からスピーカ４４−１、４４−２、電池５６、電源スイッチ５８、電池残量表示部６０、表示部８の表示画面６２、ＶＲ１、ＶＲ２、メモリカード６４、ＶＲ３、ＶＲ４、ＳＷ１、ＳＷ２、ＬＥＤ１、ＬＥＤ２、キージャック６６−１、６６−２が備えられる。キージャック６６−１には符号入力部２２−１に対応する第１の入力手段として電鍵たとえば、縦振りキー６８−１が接続され、キージャック６６−２には符号入力部２２−２に対応する第２の入力手段として他の電鍵たとえば、パドルキー６８−２が接続される。
【００３６】
ＶＲ１、ＶＲ２、ＶＲ３およびＶＲ４には図５のＢに示すように、個別に機能が割りつけられている。ＶＲ１は入力符号の短点設定に用いられ、ＶＲ２は次文字待ち時間の設定に用いられる。ＶＲ３はＣＷ音の音量調整に用いられる。ＶＲ４は、発音音声の出力音量の調整に用いられる。
縦振りキー６８−１では単一の開閉接点を備え、図５のＣに示すように、Ｙ方向の入力が行える。パドルキー６８−２ではレバー６８−２１、６８−２２毎にＹ方向に単一の開閉接点を備え、図５のＤに示すように、Ｘ１方向、Ｘ２方向の各入力が行える。Ｘ方向１、Ｘ方向２は操作に応じて個別にＯＮ、ＯＦＦ入力を生成することを表す。
【００３７】
＜表示部８の表示および表示切り換え＞
図６のＡに示すように、表示部８の表示画面６２は、上欄部に入力文字表示領域６２−１０、中欄部に発音文字表示領域６２−２０、下欄部に動作モード表示領域６２−３０に区分されている。入力文字表示領域６２−１０には入力した文字が表示される。発音文字表示領域６２−２０には発音後、発音前または発音中の文字が表示される。動作モード表示領域６２−３０には設定状態や動作状態を表示する。ＳＷ１の短押しで入力文字表示領域６２−１０および発音文字表示領域６２−２０の表示をクリアできる。
【００３８】
この例では、入力文字表示領域６２−１０に「こんにちわ、きようわ、おでかけびよりですね」が表示されている。入力を確定した「こんにちわ、きようわ、おでかけ」は緑色表示、入力確定前の「びよりですね」は黄色表示となっている。つまり、入力完了行と入力中の文字表示の発光色を異ならせることにより、両者を区別している。
【００３９】
発音文字表示領域６２−２０には「こんにちわ□きようわ□おでかけびよりですね」が表示されている。発音完了後の「こんにちわ□きようわ□おでかけび」は緑色表示、発音完了または発音中の「よりですね」は赤色表示となっている。つまり、発音完了後と、発音中または発音前の発光色を異ならせることにより、両者を区別している。□は発音できない文字「、」を表し、たとえば、一文字に相当するアンダーバー：「＿」で表示すればよい。「び」はＥｘモードで「び」の読上げ音として発音される。
【００４０】
動作モード表示領域６２−３０には発音待ち語数表示７０、ロゴ表示７２、発音状態／発音解除状態表示７４、キー極性表示７６、モード表示７８、次文字待ち時間表示８０、短点時間表示８２が表示される。発音待ち語数表示７０には発音待ちの語数が表示され、発音に応じ、その表示数が減少する。この場合、発音状態／発音解除状態表示７４には、ＳＷ１の長押しにより発音状態であれば点灯し、発音解除状態であれば消灯させてもよい。ロゴ表示７２はCWm２０の動作中表示であり、電源ON時は常時、白色点灯させる。状態／発音解除状態表示７４は発音状態か非発音状態かを表示する。キー極性表示７６は、ＳＷ２の長押しにより切り換えられた右入力Ｒか左入力Ｌを表示する。モード表示７８にはＥモードであれば「Ｅ」、Ｅｘモードであれば「Ｅｘ」が表示される。次文字待ち時間表示８０には次文字までの待ち時間を表す数値を表示する。短点時間表示８２にはＶＲ１で調整されるモールス符号の短点の時間幅を表す数値を表示する。
【００４１】
図６のＢに示すように、ＳＷ１の短押しでＮモードおよびＥｘモード間のモード切り換え、ＳＷ１の長押しで音声出力のＯＮからＯＦＦ、ＯＦＦからＯＮに切り換えられ、ＯＮの場合、「Ｊ」の表示が白色表示、ＯＦＦの場合、「Ｊ」の表示が赤色表示となる。
ＳＷ２の短押しで表示クリア、ＳＷ２の長押しでパドルキー６８−２の極性設定を表し、左用であれば「Ｌ」、右用であれば「Ｒ」が表示される。
【００４２】
図７のＡに示すように、ＳＷ１の長押しの繰り返しによる発音のＯＮ／ＯＦＦが切り換えられる。図７のＢに示すように、ＳＷ２の長押しの繰り返しによる極性表示が切り換えられる。図７のＣに示すように、ＳＷ１の短押しによるモード表示が切り換えられる。
【００４３】
＜モールス符号の認識＞
モールス符号「・」、「−」の長さおよび間隔について、「−」の長さは「・」の３点に等しく、一符号の各「・」、「−」の間隔は１点「・」に等しい。また、二符号の間隔は３点「・・・」に等しい。二語の間隔は、７点「・・・・・・・」に等しい。
斯かるモールス符号により、Ｎモードでは、図８のＡに示すようにモールス符号を認識する。「が」を例に取ると、モールス符号では「か」＋「〃」であり、つまり、濁音を伴わない「か」＝「・−・・」に続いて濁点「〃」＝「・・」を入力しても、「・−・・  ・・」＝「が」を認識しない。
この場合、「か」＝「・−・・」を入力し、符号確定時間Ｔ１の経過の後、「〃」＝「・・」を入力し、符号確定時間Ｔ１の経過で、入力符号の「が」と「〃」が個々に確定し、二文字として認識する。
【００４４】
＜モールス符号組合せの認識＞
Ｅｘモードでは、図８のＢに示すようにモールス符号の組合せを認識する。同様に、「が」を例に取ると、「か」の入力後、符号確定時間Ｔ１を設定し、この符号確定時間Ｔ１の終了時点から次符号待ち時間Ｔ２を設定する。
この次符号待ち時間Ｔ２に入力文字としてたとえば、濁点「〃」のモールス符号「・・」の先頭の短点「・」が入ると、「・・」が入力終了まで待機状態とする。
「・・」の入力終了時点から符号確定時間Ｔ１を計測し、この符号確定時間Ｔ１の終了時間から次符号待ち時間Ｔ２を計測する。これにより、「・−・・」と「・・」が合成され、「・−・・」＋「・・」＝「が」が生成される。
このモールス符号の組合せの認識方法では、符号確定時間Ｔ１の後、次符号待ち時間Ｔ２の経過中に次符号が入力されると、組合せ文字と認識し、時間Ｔ２の経過後、組合せ符号が確定する。
【００４５】
＜１符号入力、２符号入力、３符号入力および４符号入力の処理＞
１符号入力では、図９のＡに示すように、符号ａの入力終了時点から符号確定時間Ｔ１が計測され、この時間Ｔ１の経過時点から次符号待ち時間Ｔ２が計測される。次符号待ち時間Ｔ２の経過後、符号ａの入力が確定し、対応する文字表示が行われる。たとえば、入力文字が「き」の場合、表示は「き」であり、発音は「キ」である。
【００４６】
２符号入力では、図９のＢに示すように、符号ａの入力終了時点、符号確定時間Ｔ１の経過後、次符号待ち時間Ｔ２が計測される。この次符号待ち時間Ｔ２の経過中に符号ｂが入力されると、次符号待ち時間Ｔ２の経過を待って、２符号入力に対応する文字表示が行われる。たとえば、入力文字が「き」＋濁点「〃」の場合、表示は「ぎ」であり、発音は「ギ」である。
【００４７】
３符号入力では、図１０のＡに示すように、符号ａの入力後、次符号待ち時間Ｔ２の経過中に符号ｂが入力され、符号ｂの入力後、次符号待ち時間Ｔ２の経過中に次符号ｃが入力された場合、次符号待ち時間Ｔ２の経過を待って、対応する文字表示が行われる。たとえば、入力文字が「き」＋濁点「〃」＋「ゆ」の場合、表示は「ぎゅ」であり、発音は「ギュ」である。
【００４８】
４符号入力では、図１０のＢに示すように、符号ａの入力後、次符号待ち時間Ｔ２が経過中に符号ｂが入力され、符号ｂの入力後、次符号待ち時間Ｔ２の経過中に符号ｃの入力、符号ｃの入力後、次符号待ち時間Ｔ２の経過中に符号ｄが入力された場合、符号待ち時間Ｔ２の経過を待って、対応する文字表示が行われる。たとえば、入力文字が「き」＋濁点「〃」＋「ゆ」＋「つ」であれば、表示は「ぎゅっ」であり、発音は「ギュッ」である。
【００４９】
＜文字表示および音声発音＞
Ｎモードでは、図１１のＡに示すように、文字表示および音声発音が行われる。ひらがなの「か」を例に取ると、「か」はモールス符号＝「・−・・」である。この場合、ＬＥＤ１が短点「・」および長点「−」の入力に応じて連続して点灯する。最後の入力から３短点後に表示文字が確定し、ＬＥＤ１が消灯し、文字表示に移行する。
同様に、ＬＥＤ２はＬＥＤ１と同様に点灯し、最後の入力から３短点後に発音文字が確定し、音声発音に移行する。
【００５０】
Ｅｘモードでは、図１１のＢに示すように、文字表示および音声発音が行われる。ひらがなの「か」を例に取ると、Ｎモードと同様に、ＬＥＤ１が短点「・」および長点「−」の入力に応じて連続して点灯する。最後の入力から３短点後に表示文字が確定し、ＬＥＤ１が消灯し、文字表示に移行する。
同様に、ＬＥＤ２はＬＥＤ１と同様に点灯する。この場合、最後の入力から３短点後に音声文字を確定させるが、継続して４短点間だけ、次の信号を待つ。この間、ＬＥＤ２は点灯を継続する。音声文字確定から次文字待ち時間Ｔ２を設定する。次文字待ち時間Ｔ２中に次文字を入力すると、一文字として認識する。たとえば、この間に濁点「〃」が入ると、この濁点が「か」に反映され、音声発音に移行する。次文字待ち時間Ｔ２は、ＶＲ２で設定すればよい。
【００５１】
この場合、ＬＥＤ１では、図１１のＣに示すように、点灯で入力文字の入力待ち状態、消灯で入力文字確定状態を表示し、ＬＥＤ２で発音文字の入力待ち状態、消灯で発音文字確定状態を表す。
【００５２】
＜検索テーブル８４＞
図１２は、入力符号から入力文字およびその発音データの検索に用いられる検索テーブルを示している。この検索テーブル８４は入力文字およびその発音データのデータベースの一例である。この検索テーブル８４には検索ナンバー８６−１、入力文字８６−２および発音表示８６−３が格納されている。入力符号から検索ナンバー８６−１を検索し、入力符号に対応する入力文字８６−２および発音表示８６−３を同時に検索し、取得することができる。
【００５３】
＜入力文字、音声文字の表示およびその発音の処理手順＞
図１３は、符号入力から文字表示および発音処理の処理手順を示す。この処理手順では、符号入力（Ｓ２０１）を契機に、この符号入力の終了時点から時間Ｔ１が経過したかを判断する（Ｓ２０２）。符号入力が終了するまで待機状態となる（Ｓ２０２のＮＯ）。符号入力が終了すると、文字表示処理（Ｓ２０３）が実行される。
【００５４】
この文字表示処理（Ｓ２０３）の後、符号入力があるかを判断し（Ｓ２０４）、符号入力がなければ（Ｓ２０４のＮＯ）、時間Ｔ１の終了から時間Ｔ２が経過したかを判断する（Ｓ２０５）。時間Ｔ２が経過する前（Ｓ２０５のＮＯ）、Ｓ２０４に戻り、Ｓ２０４およびＳ２０５の処理を継続する。時間Ｔ２が経過すれば（Ｓ２０５のＹＥＳ）、文字表示処理（Ｓ２０６）、発音処理（Ｓ２０７）を実行し、この処理を終了する。
【００５５】
Ｓ２０４で符号入力があれば（Ｓ２０４のＹＥＳ）、二文字目の符号入力を認識し（Ｓ２０８）、符号入力終了から時間Ｔ１が経過したかを判断する（Ｓ２０９）。時間Ｔ１が経過する前（Ｓ２０９のＮＯ）、Ｓ２０８に戻り、符号入力が終了するまで、Ｓ２０８、Ｓ２０９の処理を継続する。時間Ｔ１が経過すれば（Ｓ２０９のＹＥＳ）、符号入力があるかを判断し（Ｓ２１０）、符号入力がなければ（Ｓ２１０のＮＯ）、時間Ｔ１の終了から時間Ｔ２が経過したかを判断する（Ｓ２１１）。時間Ｔ２が経過する前（Ｓ２１１のＮＯ）、Ｓ２１０に戻り、Ｓ２１０およびＳ２１１の処理を継続する。時間Ｔ２が経過すれば（Ｓ２１１のＹＥＳ）、組合わせ文字表示処理（Ｓ２１２）、組合せ発音処理（Ｓ２１３）を実行し、この処理を終了する。
【００５６】
Ｓ２１０で符号入力があれば（Ｓ２１０のＹＥＳ）、三文字目の符号入力を認識し（Ｓ２１４）、符号入力終了から時間Ｔ１が経過したかを判断する（Ｓ２１５）。時間Ｔ１が経過する前（Ｓ２１５のＮＯ）、Ｓ２１４に戻り、符号入力が終了するまで、Ｓ２１４、Ｓ２１５の処理を継続する。時間Ｔ１が経過すれば（Ｓ２１５のＹＥＳ）、符号入力があるかを判断し（Ｓ２１６）、符号入力がなければ（Ｓ２１６のＮＯ）、時間Ｔ１の終了から時間Ｔ２が経過したかを判断する（Ｓ２１７）。時間Ｔ２が経過する前（Ｓ２１７のＮＯ）、Ｓ２１６に戻り、Ｓ２１６およびＳ２１７の処理を継続する。時間Ｔ２が経過すれば（Ｓ２１７のＹＥＳ）、組合わせ文字表示処理（Ｓ２１２）、組合せ発音処理（Ｓ２１３）を実行し、この処理を終了する。
【００５７】
Ｓ２１６で符号入力があれば（Ｓ２１６のＹＥＳ）、四文字目の符号入力を認識し（Ｓ２１８）、符号入力終了から時間Ｔ１が経過したかを判断する（Ｓ２１９）。時間Ｔ１が経過する前（Ｓ２１９のＮＯ）、Ｓ２１８に戻り、符号入力が終了するまで、Ｓ２１８、Ｓ２１９の処理を継続する。時間Ｔ１が経過すれば（Ｓ２１９のＹＥＳ）、符号入力があるかを判断し（Ｓ２２０）、符号入力がなければ（Ｓ２２０のＮＯ）、時間Ｔ１の終了から時間Ｔ２が経過したかを判断する（Ｓ２２１）。時間Ｔ２が経過する前（Ｓ２２１のＮＯ）、Ｓ２２０に戻り、Ｓ２２０およびＳ２２１の処理を継続する。時間Ｔ２が経過すれば（Ｓ２２１のＹＥＳ）、組合わせ文字表示処理（Ｓ２１２）、組合せ発音処理（Ｓ２１３）を実行し、この処理を終了する。
Ｓ２２０で符号入力があれば（Ｓ２２０のＹＥＳ）、エラー処理を実行し、該当無し発音文字を表示し、発音は行わない（Ｓ２２２）。
【００５８】
＜符号−入力文字変換の処理手順＞
図１４は、符号入力から入力文字への変換処理の処理手順を示す。この処理手順に用いられるスイッチ機能について、この処理手順に用いられるスイッチ機能はたとえば、図２０のＢに示すダブルタイプのパドルキー６８−４を使用すればよい。
Ｙ方向１：静かな語調データ（図２０のＢに示すパドルキー６８−４の使用）
Ｙ方向２：強い語調データ（図２０のＢに示すパドルキー６８−４の使用）
ＳＷ１：緊急性、定型発音
ＳＷ２：音量アップ
である。
Ｓ３０１、Ｓ３０２は、当初に実行する緊急性検知と緊急対応の処理である。ＳＷ１が押されたかを判断し（Ｓ３０１）、ＳＷ１が押されていれば（Ｓ３０１のＹＥＳ）、「Ｓ１：緊急対応」の処理（Ｓ３０１）を実行し、この処理を終了する。
【００５９】
ＳＷ１が押されていなければ（Ｓ３０１のＮＯ）、Ｓ３０２をスキップし、符号入力があるかの判断をする（Ｓ３０３）。符号入力があれば（Ｓ３０３のＹＥＳ）、「Ｓ２：入力文字変換」の処理（Ｓ３０４）を実行する。Ｓ３０４には符号連結処理が含まれる。Ｓ３０３で符号入力がなければ（Ｓ３０３のＮＯ）、この処理を終了する。
【００６０】
入力文字変換（Ｓ３０４）の後、発音文字の検索として、バッファ符号列に該当する発音文字を検索する（Ｓ３０５）。検索テーブル８４に該当データがあるかを判断し（Ｓ３０６）、該当データがなければ（Ｓ３０６のＮＯ）、該当なし発音文字データを設定する（Ｓ３０７）。つまり、Ｓ３０６およびＳ３０７は検索テーブル８４に該当データがない場合の対応である。検索テーブル８４に該当データがあれば（Ｓ３０６のＹＥＳ）、Ｓ３０７をスキップし、発音文字表示を行う（Ｓ３０８）。
【００６１】
発音文字表示（Ｓ３０８）の後、符号入力部２２−２のＹ方向１が入力されたかを判断する（Ｓ３０９）。Ｙ方向１が押されていれば（Ｓ３０９のＹＥＳ）、発音文字に該当する“静かな語調”データの検索を行う（Ｓ３１０）。Ｙ方向１が押されていなければ（Ｓ３０９のＮＯ）、Ｙ方向２が押されたかを判断する（Ｓ３１１）。Ｙ方向２が押されていれば（Ｓ３１１のＹＥＳ）、発音文字に該当する“強い語調”データの検索を行う（Ｓ３１２）。Ｙ方向２が押されていなければ（Ｓ３１１のＮＯ）、発音文字に該当する“普通の語調”データの検索を行う（Ｓ３１３）。Ｓ３０９〜Ｓ３１３の処理は発音文字−発音データ選択制御４８−８を示している。
【００６２】
これらの検索の後、発音データ部２６に該当データがあったかを判断する（Ｓ３１４）。この場合、検索テーブル８４に示された「発音表示」に該当する音声データファイルを検索する。この検索テーブル８４に該当データがなければ（Ｓ３１４のＮＯ）、該当なしデータを設定する（Ｓ３１５）。つまり、Ｓ３１４、Ｓ３１５は該当データがない場合の対応である。つまり、音声データファイルに既述の「強い語調」、「静かな語調」、「普通の語調」が存在しており、「Ｙ方向1」、 「Ｙ方向２」の情報に応じた発音処理を行う。
検索テーブル８４に該当データがあれば（Ｓ３１４のＹＥＳ）、ＳＷ２が押されたかを判断し（Ｓ３１６）、ＳＷ２が押されていなければ（Ｓ３１６のＮＯ）、音量アップ（Ｓ３１７）とともに、発音処理を行い（Ｓ３１８）、この処理を終了する。また、ＳＷ２が押されていれば（Ｓ３１６のＹＥＳ）、Ｓ３１７をスキップして発音処理を行い（Ｓ３１８）、この処理を終了する。つまり、ＳＷ２の押下で音量アップモードとなり、重ねてＳＷ２を押下すれば音量アップモードが解除されることになる。
【００６３】
＜「Ｓ１：緊急対応」の処理手順＞
図１５は、図１４のフローチャートのＳ３０２の「Ｓ１：緊急対応」の処理手順を示している。この処理手順は、スイッチ機能としてＳＷ１に割りつけられた緊急性の対応処理を行う。
【００６４】
この処理手順では、緊急性を表す“定型”入力文字の検索を行い（Ｓ４０１）、文字表示を行う（Ｓ４０２）。緊急性を表す“定型”発音文字を検索し（Ｓ４０３）、発音文字を表示し（Ｓ４０４）、緊急性を表す“定型”発音データを検索し（Ｓ４０５）、緊急用音量を設定し（Ｓ４０６）、音声を発音する（Ｓ４０７）。
【００６５】
＜「Ｓ２：入力文字変換」の処理手順＞
図１６は、図１４のフローチャートのＳ３０４の「Ｓ２：入力文字変換」の処理手順を示している。この処理手順では、符号連結処理が実行され、その処理を表すＬＥＤ２がＯＮして点灯し（Ｓ５０１）、「Ｓ３：符号入力（ｎ＝１）」の処理を実行する（Ｓ５０２）。
【００６６】
「Ｓ３：符号入力（ｎ＝１）」の処理の後、次の符号入力（＝次符号入力）があるかを判断し（Ｓ５０３）、次符号入力がなければ（Ｓ５０３のＮＯ）、Ｓ３の終了から時間Ｔ２が経過したかを判断する（Ｓ５０４）。Ｓ３の終了から時間Ｔ２が経過する前（Ｓ５０４のＮＯ）、Ｓ５０３、Ｓ５０４の処理を継続し、Ｓ３の終了から時間Ｔ２が経過すれば（Ｓ５０４のＹＥＳ）、ＬＥＤ２をＯＦＦして消灯し、この処理を終了する。
【００６７】
Ｓ５０３で次符号入力があれば（Ｓ５０３のＹＥＳ）、「Ｓ３：符号入力（ｎ＝２）」の処理を実行する（Ｓ５０５）。
【００６８】
「Ｓ３：符号入力（ｎ＝２）」の処理の後、次符号入力があるかを判断し（Ｓ５０６）、次符号入力がなければ（Ｓ５０６のＮＯ）、Ｓ３の終了から時間Ｔ２が経過したかを判断する（Ｓ５０７）。Ｓ３の終了から時間Ｔ２が経過する前（Ｓ５０７のＮＯ）、Ｓ５０６、Ｓ５０７の処理を継続し、Ｓ３の終了から時間Ｔ２が経過すれば（Ｓ５０７のＹＥＳ）、ＬＥＤ２をＯＦＦして消灯し（Ｓ５１５）、この処理を終了する。
Ｓ４０６で次符号入力があれば（Ｓ５０６のＹＥＳ）、「Ｓ３：符号入力（ｎ＝３）」の処理を実行する（Ｓ５０８）。
【００６９】
「Ｓ３：符号入力（ｎ＝３）」の処理（Ｓ５０８）の後、次符号入力があるかを判断し（Ｓ５０９）、次符号入力がなければ（Ｓ５０９のＮＯ）、Ｓ３の終了から時間Ｔ２が経過したかを判断する（Ｓ５１０）。Ｓ３の終了から時間Ｔ２が経過する前（Ｓ５１０のＮＯ）、Ｓ５０９、Ｓ５１０の処理を継続し、Ｓ３の終了から時間Ｔ２が経過すれば（Ｓ５１０のＹＥＳ）、ＬＥＤ２をＯＦＦして消灯し（Ｓ５１５）、この処理を終了する。
Ｓ５０９で次符号入力があれば（Ｓ５０９のＹＥＳ）、「Ｓ３：符号入力（ｎ＝４）」の処理を実行する（Ｓ５１１）。
【００７０】
「Ｓ３：符号入力（ｎ＝４）」の処理（Ｓ５１１）の後、次符号入力があるかを判断し（Ｓ５１２）、次符号入力があれば（Ｓ５１２のＹＥＳ）、エラー処理（Ｓ５１３）を実行する。次符号入力がなければ（Ｓ５１２のＮＯ）、Ｓ３の終了から時間Ｔ２が経過したかを判断する（Ｓ５１４）。Ｓ３の終了から時間Ｔ２が経過前（Ｓ５１４のＮＯ）、Ｓ５１２、Ｓ５１４の処理を継続し、Ｓ３の終了から時間Ｔ２が経過すれば（Ｓ５１４のＹＥＳ）、ＬＥＤ２をＯＦＦして消灯し（Ｓ５１５）、この処理を終了する。
【００７１】
＜「Ｓ３：符号入力」の処理手順＞
図１７は、図１６のフローチャートにおける各Ｓ５０２、Ｓ５０５、Ｓ５０８、Ｓ５１１の「Ｓ３：符号入力」の処理手順を示している。この処理手順では、Ｓ６０１〜Ｓ６０５で符号入力処理を行う。符号入力（Ｓ６０１）を契機としてＬＥＤ１をＯＮして点灯し、その処理を告知する。この処理では符号入力終了から時間Ｔ１が経過したかを判断し（Ｓ６０３）、符号入力から時間Ｔ１が経過する前（Ｓ６０３のＮＯ）にはＳ６０１に戻り、Ｓ６０１〜Ｓ６０３の処理を継続する。符号入力から時間Ｔ１が経過すれば（Ｓ６０３のＹＥＳ）、ＬＥＤ１をＯＦＦして消灯する（Ｓ６０４）。ＬＥＤ１の消灯の後、バッファ番号ｎへ符号を格納する（Ｓ６０５）。
【００７２】
バッファ格納では、符号に該当する発音文字の検索を行い（Ｓ６０６）、発音データ部２６の検索テーブル８４に該当データがあるかを判断する（Ｓ６０７）。検索テーブル８４に該当データがなければ（Ｓ６０７のＮＯ）、該当データなしデータを設定し（Ｓ６０８）、文字表示を行う（Ｓ６０９）。つまり、Ｓ６０７〜Ｓ６０９は該当データがない場合の文字表示の処理である。そして、Ｓ６０７で検索テーブル８４に該当データがあれば（Ｓ６０７のＹＥＳ）、Ｓ６０８をスキップし、文字表示が実行され（Ｓ６０９）、この処理を終了する。
【００７３】
＜入力文字表示制御４８−３の処理手順＞
図１８は、入力文字表示制御４８−３の処理手順を示している。この処理手順では、配色の一例として１行目色に緑色指定をし（Ｓ７０１）、２行目色に緑色指定をし（Ｓ７０２）、３行目色に緑色指定をし（Ｓ７０３）、１行目に表示枠があるかの判断をする（Ｓ７０４）。１行目に表示枠があれば（Ｓ７０４のＹＥＳ）、１行目色に黄色を指定し（Ｓ７０５）、表示行に１行目を指定し（Ｓ７０６）、Ｓ７１４に移行する。
【００７４】
Ｓ７０４で１行目に表示枠がなければ（Ｓ７０４のＮＯ）、２行目に表示枠があるかの判断をする（Ｓ７０７）。２行目に表示枠があれば（Ｓ７０７のＹＥＳ）、２行目色に黄色を指定し（Ｓ７０８）、表示行に２行目を指定し（Ｓ７０９）、Ｓ７１４に移行する。
【００７５】
Ｓ７０７で２行目に表示枠がなければ（Ｓ７０７のＮＯ）、３行目に表示枠があるかの判断をする（Ｓ７１０）。３行目に表示枠がなければ（Ｓ７１０のＮＯ）、１〜３行目色の表示を消去し（Ｓ７１１）、Ｓ７０１に戻り、Ｓ７０１〜Ｓ７１０の処理を行う。３行目に表示枠があれば（Ｓ７１０のＹＥＳ）、３行目色に黄色を指定し（Ｓ７１２）、表示行に３行目を指定し（Ｓ７１３）、Ｓ７１４に移行する。
【００７６】
Ｓ７１４では前回表示から時間Ｔ３が経過したかを判断し、前回表示から時間Ｔ３が経過していれば（Ｓ７１４のＹＥＳ）、空白文字を表示し（Ｓ７１５）、Ｓ７０１に戻り、Ｓ７０１〜Ｓ７１４の処理を行う。時間Ｔ３は文字入力から所定時間として表示間隔を表す時間であり、この時間Ｔ３の経過が空白文字の挿入条件である。そして、前回表示から時間Ｔ３が経過していなければ（Ｓ７１４のＮＯ）、指定色で指定表示行に文字を表示し（Ｓ７１６）、この処理を終了する。つまり、Ｓ７１４、Ｓ７１５では、表示間隔が時間Ｔ３以上開いた場合に、空白文字を挿入する処理が行われる。
【００７７】
＜発音文字表示制御４８−６の処理手順＞
図１９は、発音文字表示制御４８−６の処理手順を示している。この処理手順では、配色の一例として１行目色に緑色指定をし（Ｓ８０１）、２行目色に緑色指定をし（Ｓ８０２）、３行目色に緑色指定をし（Ｓ８０３）、１行目に表示枠があるかの判断をする（Ｓ８０４）。１行目に表示枠があれば（Ｓ８０４のＹＥＳ）、１行目色に赤色を指定し（Ｓ８０５）、表示行に１行目を指定し（Ｓ８０６）、Ｓ８１４に移行する。
【００７８】
Ｓ８０４で１行目に表示枠がなければ（Ｓ８０４のＮＯ）、２行目に表示枠があるかの判断をする（Ｓ８０７）。２行目に表示枠があれば（Ｓ８０７のＹＥＳ）、２行目色に赤色を指定し（Ｓ８０８）、表示行に２行目を指定し（Ｓ８０９）、Ｓ８１４に移行する。
【００７９】
Ｓ８０７で２行目に表示枠がなければ（Ｓ８０７のＮＯ）、３行目に表示枠があるかの判断をする（Ｓ８１０）。３行目に表示枠がなければ（Ｓ８１０のＮＯ）、１〜３行目色の表示を消去し（Ｓ８１１）、Ｓ８０１に戻り、Ｓ８０１〜Ｓ８１０の処理を行う。３行目に表示枠があれば（Ｓ８１０のＹＥＳ）、３行目色に赤色を指定し（Ｓ８１２）、表示行に３行目を指定し（Ｓ８１３）、Ｓ８１４に移行する。
【００８０】
Ｓ８１４では前回表示から時間Ｔ３が経過したかを判断し、前回表示から時間Ｔ３が経過していれば（Ｓ８１４のＹＥＳ）、空白文字を表示し（Ｓ８１５）、Ｓ８０１に戻り、Ｓ８０１〜Ｓ８１４の処理を行う。そして、前回表示から時間Ｔ３が経過していなければ（Ｓ８１４のＮＯ）、指定色で指定表示行に文字を表示し（Ｓ８１６）、この処理を終了する。つまり、Ｓ８１４、Ｓ８１５では、文字表示と同様に、表示間隔が時間Ｔ３以上開いた場合に、空白文字を挿入する処理が行われる。
【００８１】
＜実施例１の効果＞
実施例１によれば、次の効果が得られる。
(1) 符号入力部２２−１の縦振りキー６８−１、符号入力部２２−２のパドルキー６８−２からの符号入力などの断続入力をたとえば、モールス符号と認識し、このモールス符号を入力文字に変換するとともに、発音文字に変換することができる。
【００８２】
(2) モールス符号はモールス信号として発音し、入力文字は表示部８の文字表示領域６２−１０に表示され、発音文字は表示部８の発音文字表示領域６２−２０に表示することができる。これにより、モールス音の聴取、表示された文字表示による視認、その文字の読上げ音声を聴取することができる。
【００８３】
(3) モールス符号のスキルがなくても、符号入力部２２−１の縦振りキー６８−１、符号入力部２２−２のパドルキー６８−２からの符号入力などの断続入力に沿った入力文字データおよび発音データを設定することにより感情入力を符号、入力文字に変換して表示や音声として出力させることができ、感情伝達などの緩和支援を行うことができる。
【００８４】
(4) モールス符号の学習など、モールス通信のスキルアップに利用できる。
【実施例２】
【００８５】
図２０は、実施例２に係る電鍵として符号入力部２２−２のパドルキーを示している。図２０のＡに示すように、シングルタイプのパドルキー６８−３では支持部８８に垂直方向にレバー９０を備える。レバー９０は可動機構によりＸ１方向、Ｘ２方向、Ｙ１方向、Ｙ２方向およびＺ方向に移動させ、移動方向に応じて開閉される接点を備え、この接点のＯＮ・ＯＦＦ出力を取り出すように構成してもよい。
【００８６】
図２０のＢに示すように、ダブルタイプのパドルキー６８−４では垂直方向に平行に配置した第１および第２の支持部８８−１、８８−２とともに、各支持部８８−１、８８−２のそれぞれに配置した２つのレバー９０−１、９０−２が備えられ、各支持部８８−１、８８−２には各パドルキー６８−４を移動させるための可動機構が備えられる。レバー９０−１はＸ１方向、Ｙ１方向、Ｘ３方向、Ｙ３方向およびＺ１方向に移動させ、レバー９０−２はＸ２方向、Ｘ４方向、Ｙ２方向、Ｙ４方向およびＺ２方向に移動させ、各移動方向に応じた接点のＯＮ・ＯＦＦ出力を取り出すように構成してもよい
【００８７】
＜実施例２の効果＞
(1) このようなパドルキーを用いれば、操作方向に応じて複数の断続入力などの符号入力を行うことができ、多様な符号入力を行うことができる。
(2) このようなパドルキーを用いれば、ファンクションスイッチとして併用でき、ボリュームの増減、キーイング速度の増減、音声またはモールス音、和文または欧文、表示速度の切換え機能を割り付けることができる。
【実施例３】
【００８８】
図２１は、実施例３に係る出力部を示している。この出力部には一例として符号音出力部１０、発音出力部１２および入力タイミング表示部３２が含まれる。犬を模したぬいぐるみ９２の胴部９４にスピーカ４４−１、４４−２を配置するとともに、尻尾９６を振動させる振動部９８を配置し、眼球部にＬＥＤ１、ＬＥＤ２を配置する。
このように構成すれば、ぬいぐるみ９２からのＣＷ音や発音音声を出力させることができるとともに、ＬＥＤ１、ＬＥＤ２でタイミング発光を行うことができる。これに加えて、モールス符号などに同期して振動部９８を駆動し、尻尾９６の左右動、前後動によりその動作によって文字を表示することもできる。
【００８９】
〔他の実施の形態〕
(1) 上記実施例では縦振りキーやパドルキーを用いて符号入力を行うことを示したが、このようなキーに代えて摩擦や殴打および、脳波や筋電位などの生体信号、その他の信号により断続入力を行い、この断続入力を符号、文字、音声に変換して出力させてもよい。
(2) 上記実施例では入力符号としてモールス符号を例示したが、モールス符号に代え、他の符号入力を用いてもよい。
(3) 上記実施例では、日本語を例示したが、日本語以外の言語であってもよい。
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
(4) 発光色を異ならせる文字表示に関し、実施例では黄色、緑色、赤色を例示したがこれ以外の発光色を用いてもよい。
(5) 発声音についても男性ボイス、女性ボイスなど、ユーザの好みによって音域を変更する構成としてもよい。
(6) 上記実施例ではＬＥＤ１、ＬＥＤ２の点灯または消灯の動作形式として、連続点灯、消灯の他、間欠点灯を用いてもよい。
(7) 発音音声には言語が持つアクセントや抑揚を付加してもよい。
【産業上の利用可能性】
【００９０】
本発明は、断続入力を符号に変換し、符号音、入力文字、発音文字に変換し、符号音の発音、入力文字および発音文字の表示、発音文字の連続音発音などの複数の表示および発音によって出力でき、通信や会話支援に利用することができる。
【符号の説明】
【００９１】
２  会話支援装置
４  操作入力部
６  処理部
８  表示部
１０  符号音出力部
１２  発音出力部
１４−１  断続入力／符号変換機能
１４−２  符号／入力文字変換機能
１４−３  符号／発音文字変換機能
１４−４  発音文字／発音データ変換機能
１４−５  符号／符号音信号変換機能
２０  ＣＷｍ
２２−１、２２−２  符号入力部
２４  コントローラー部
２６  発音データ部
２８  音声再生部
３０  スイッチ入力部
３２  入力タイミング表示部
３４  ボリューム入力部
３６  プロセッサ
３８  メモリ部
３８−１  プログラム記憶部
３８−２  データ記憶部
４０  入出力部（Ｉ／Ｏ）
４２−１、４２−２  アンプ
４４−１、４４−２  スピーカ
４６  ドライバ
４８−１  長短点−符号変換
４８−２  符号−入力文字変換
４８−３  入力文字表示制御
４８−４  スイッチ信号判別
４８−５  符号−発音文字変換
４８−６  発音文字表示制御
４８−７  ボリューム信号判別
４８−８  発音文字−発音データ選択制御
４８−９  動作モード表示制御
５０−１  入力文字表示部
５０−２  発音文字表示部
５０−３  動作モード表示部
５２  筐体
５４  前面パネル部
５６  電池
５８  電源スイッチ
６０  電池残量表示部
６２  表示画面
６２−１０  入力文字表示領域
６２−２０  発音文字表示領域
６２−３０  動作モード表示領域
６４  メモリカード
６６−１、６６−２  キージャック
６８−１  縦振りキー
６８−２、６８−３、６８−４  パドルキー
６８−２１、６８−２２、９０、９０−１、９０−２  レバー
７０  発音待ち語数表示
７２  ロゴ表示
７４  発音状態／発音解除状態表示
７６  キー極性表示
７８  モード表示
８０  次文字待ち時間表示
８２  短点時間表示
８４  検索テーブル
８６−１  検索ナンバー
８６−２  入力文字
８６−３  発音表示
８８支持部
８８−１  ８８−２  支持部
【図１】
2018067226.tif 000003
【図２】
2018067226.tif 000004
【図３】
2018067226.tif 000005
【図４】
2018067226.tif 000006
【図５】
2018067226.tif 000007
【図６】
2018067226.tif 000008
【図７】
2018067226.tif 000009
【図８】
2018067226.tif 000010
【図９】
2018067226.tif 000011
【図１０】
2018067226.tif 000012
【図１１】
2018067226.tif 000013
【図１２】
2018067226.tif 000014
【図１３】
2018067226.tif 000015
【図１４】
2018067226.tif 000016
【図１５】
2018067226.tif 000017
【図１６】
2018067226.tif 000018
【図１７】
2018067226.tif 000019
【図１８】
2018067226.tif 000020
【図１９】
2018067226.tif 000021
【図２０】
2018067226.tif 000022
【図２１】
2018067226.tif 000023